(57)【要約】【課題】光ディスク記録再生装置において、光ディスクの再生時にＴＯＣ情報を高速に取得し、光ディスクへのデータの記録時に違法なコピーを防止する。【解決手段】光ディスクへのデータの書き込み時に、ＴＯＣ情報をリードイン領域のメインチャンネル１１３に記録し、光ディスクからのデータの読み出し時に、リードイン領域のメインチャンネル１１３からＴＯＣ情報を取得するので、サブコードチャンネル１１２からＴＯＣ情報を取得する場合のように、９８フレーム分のデータを集めなくても、１セットのサブコーディングを得ることができ、高速にＴＯＣ情報を取得することができる。また、メインチャンネル１１３にＴＯＣ情報が記録されているか否かにより光ディスクがコピーされたものかどうかを判別し、再度のコピーを禁止するので、いわゆる孫コピーを防止することができる。【選択図】        図５
2004362722.tif 000002
【特許請求の範囲】
【請求項１】
光ディスクへのデータの書き込み時に、光ディスクのリードイン領域に、該データのＴＯＣ情報を記録するＴＯＣ記録手段と、光ディスクからのデータの読み出し時に、リードイン領域に記録されたＴＯＣ情報を取得して記憶するＴＯＣ取得手段とを備え、少なくとも１度は書き込みが可能な光ディスクにデータを記録する光ディスク記録再生装置において、
前記ＴＯＣ記録手段は、光ディスクのリードイン領域のメインチャンネル及びサブコードチャンネルに、それぞれ前記ＴＯＣ情報を記録するものであり、
前記ＴＯＣ取得手段は、リードイン領域のメインチャンネルに前記ＴＯＣ情報が記録されている場合には、メインチャンネルからＴＯＣ情報を取得して記憶し、リードイン領域のメインチャンネルに前記ＴＯＣ情報が記憶されていない場合には、サブコードチャンネルからＴＯＣ情報を取得して記憶するものであり、
光ディスクのリードイン領域のメインチャンネルにＴＯＣ情報が記録されているか否かにより、該光ディスクがコピーされたものか否かを判別するコピー判別手段と、
前記コピー判別手段により前記光ディスクがコピーされたものであると判断された場合に、該光ディスクのコピーを禁止するコピー禁止手段とを、さらに備えたことを特徴とする光ディスク記録再生装置。
【請求項２】
光ディスクへのデータの書き込み時に、光ディスクのリードイン領域に、該データのＴＯＣ情報を記録するＴＯＣ記録手段と、光ディスクからのデータの読み出し時に、リードイン領域に記録されたＴＯＣ情報を取得して記憶するＴＯＣ取得手段とを備え、少なくとも１度は書き込みが可能な光ディスクにデータを記録する光ディスク記録再生装置において、
前記ＴＯＣ記録手段は、光ディスクのリードイン領域のメインチャンネルにＴＯＣ情報を記録するものであり、
前記ＴＯＣ取得手段は、リードイン領域のメインチャンネルからＴＯＣ情報を取得して記憶するものであることを特徴とする光ディスク記録再生装置。
【請求項３】
前記ＴＯＣ記録手段は、サブコードチャンネルにもＴＯＣ情報を記録するものであり、
前記ＴＯＣ取得手段は、リードイン領域のメインチャンネルに前記ＴＯＣ情報が記録されている場合には、メインチャンネルからＴＯＣ情報を取得して記憶し、リードイン領域のメインチャンネルに前記ＴＯＣ情報が記憶されていない場合には、サブコードチャンネルからＴＯＣ情報を取得して記憶するものであることを特徴とする請求項２に記載の光ディスク記録再生装置。
【発明の詳細な説明】
【０００１】
【発明の属する技術分野】
本発明は、ＣＤ（ｃｏｍｐａｃｔ  ｄｉｓｃ）などの光ディスクにデータを記録し、光ディスクに記録されているデータを再生する光ディスク記録再生装置に関するものである。
【０００２】
【従来の技術】
従来から、ＣＤなどの光ディスクには、データと共に、データの内容に関する目次的な情報であるＴＯＣ（ｔａｂｌｅ  ｏｆ  ｃｏｎｔｅｔｓ）情報が記録されている。ＣＤ１の記録領域は、図４に示されるように、ＣＤ１の中心側から順に、リードイン領域１１、プログラム領域１２、及びリードアウト領域１３の３つの領域から成る。各記録領域に記録されるデータの記録の最小単位であるフレームのフォーマットは、図５に示されるように、２４チャンネルビットのフレーム同期信号を記録する領域１１１と、１４チャンネルビットのサブコーディングを記録するサブコードチャンネル１１２と、１２×１４チャンネルビットのデータ及び４×１４チャンネルビットのパリティをそれぞれ２チャンネル記録するメインチャンネル１１３により構成されている。サブコーディングには、Ｐ，Ｑ，Ｒ，Ｓ，Ｔ，Ｕ，Ｖ，Ｗの８チャンネルの情報が含まれている。各チャンネルに記録されるサブコーディングのデータは、図６に示されるように、連続する９８フレームに分割して記録されており、９８フレーム分のデータが集まって１つの意味を持つように形成されている。通常、ＴＯＣ情報はリードイン領域１１のＱチャンネル１２０に記録されており、リードイン領域１１のメインチャンネル１１３には有効なデータは記録されていない。９８フレーム分の情報を集めて形成したＱチャンネル１２０のフォーマットは、図７に示されるように、サブコーディングの同期信号Ｓ０、Ｓ１と、４ビットのコントロール信号と、４ビットのアドレス信号と、７２ビットのデータと、１６ビットの誤り検出符合により構成されている。通常のＣＤプレーヤは、ＣＤ１が装填されるとリードイン領域１１を再生し、Ｑチャンネル１２０に記録されたＴＯＣ情報を取得してメモリに記憶し、記憶したＴＯＣ情報とプログラム領域１２のＱチャンネル１２０に記録された情報に基づいて任意のトラックに高速にアクセスする。
【０００３】
しかし、上述したような通常のフォーマットの光ディスクでは、ＴＯＣ情報は連続するフレームのサブコードチャンネル１１２に分割して記録されているため、１セットのＱチャンネル１２０を読み出すためには９８フレーム分のデータを読み出さねばならず、その間に含まれるメインチャンネル１１３は無駄となり、ＴＯＣ情報の読み出し時間にロスが生じていた。
【０００４】
また、光ディスク及びその記録再生装置には、ＣＤ等のメディアの違法コピーを防止するためにＳＣＭＳ（ｓｅｒｉａｌ  ｃｏｐｙ  ｍａｎａｇｅｍｅｎｔ  ｓｙｓｔｅｍ）等、種々の対策がなされているが、かかるコピー防止するために上述したリードイン領域１１のメインチャンネル１１３を有効に利用することが考えられる。
【０００５】
ところで、リードイン領域のメインチャンネルが空いていることを利用して、このメインチャンネルに、リードイン領域以外の領域に記録されたデータの処理を行う処理プログラムを記録した光ディスクが知られている（例えば、特許文献１参照）。また、光ディスクのリードイン領域のメインチャンネルに、ＴＯＣ情報等のマスタリング補助情報をメインコード形式で記録して、光ディスクからＣＤ等へのマスタリング処理を簡易かつ確実に行う装置が知られている（例えば、特許文献２参照）。また、ＣＤ−ＲＯＭのプログラム領域以外の領域にキーワードを記録し、再生時にこのキーワードを読み取ることによりＣＤ−ＲＯＭのコピーを判別する方法が知られている（例えば、特許文献３参照）。
【０００６】
【特許文献１】
特開平２−１９３３１６号公報
【特許文献２】
特開平５−１０９１９４号公報
【特許文献３】
特開平９−３５４２０号公報
【０００７】
しかし、特許文献１に記載の発明については、リードイン領域の空いたメインチャンネルを利用するものではあるものの、ＴＯＣ情報の読み出しの高速化を図ると共に、光ディスクのコピーを防止するものではない。また、特許文献２に記載の発明については、リードイン領域のメインチャンネルにＴＯＣ情報を記録するものではあるが、光ディスクの再生時に、ＴＯＣ情報の読み出しの高速化を図るものではなく、また、光ディスクのコピーを防止するものでもない。また、特許文献３に記載の発明においては、プログラム領域以外の領域に記録された情報に基づき、光ディスクがコピーされたものか否かを判別するものであるが、ＴＯＣ情報の読み出しの高速化を図るものではない。
【０００８】
本発明は、上述した問題点を解決するためになされたものであり、光ディスク再生時にＴＯＣ情報の読み出しの高速化を図り、さらに、光ディスクの不正なコピーを防止することができる装置を提供することを目的とする。
【０００９】
【課題を解決するための手段】
上記目的を達成するために請求項１の発明は、光ディスクへのデータの書き込み時に、光ディスクのリードイン領域に、該データのＴＯＣ情報を記録するＴＯＣ記録手段と、光ディスクからのデータの読み出し時に、リードイン領域に記録されたＴＯＣ情報を取得して記憶するＴＯＣ取得手段とを備え、少なくとも１度は書き込みが可能な光ディスクにデータを記録する光ディスク記録再生装置において、前記ＴＯＣ記録手段は、光ディスクのリードイン領域のメインチャンネル及びサブコードチャンネルに、それぞれ前記ＴＯＣ情報を記録するものであり、前記ＴＯＣ取得手段は、リードイン領域のメインチャンネルに前記ＴＯＣ情報が記録されている場合には、メインチャンネルからＴＯＣ情報を取得して記憶し、リードイン領域のメインチャンネルに前記ＴＯＣ情報が記憶されていない場合には、サブコードチャンネルからＴＯＣ情報を取得して記憶するものであり、光ディスクのリードイン領域のメインチャンネルにＴＯＣ情報が記録されているか否かにより、該光ディスクがコピーされたものか否かを判別するコピー判別手段と、前記コピー判別手段により前記光ディスクがコピーされたものであると判断された場合に、該光ディスクのコピーを禁止するコピー禁止手段とを、さらに備えたものである。
【００１０】
この構成においては、光ディスクへのデータの書き込み時に、ＴＯＣ情報をリードイン領域のメインチャンネルに記録し、光ディスクからのデータの読み出し時に、リードイン領域のメインチャンネルからＴＯＣ情報を取得する。このため、サブコードチャンネルからＴＯＣ情報を取得する場合のように、９８フレーム分のデータを集めなくても、少ないフレーム数で１セットのサブコーディングを読み出すことができる。また、リードイン領域のサブコードチャンネルにもＴＯＣ情報を記録しているので、通常の光ディスク再生装置でも再生できる光ディスクを作成することができる。また、メインチャンネルにＴＯＣ情報が記録されていない場合に、サブコードチャンネルからＴＯＣ情報を取得するので、通常のフォーマットで記憶された光ディスクについてもＴＯＣ情報を取得することができる。
【００１１】
また、通常のフォーマットの光ディスク、すなわちオリジナルの光ディスクにおいては、リードイン領域のメインチャンネルにはＴＯＣ情報は記録されていないので、メインチャンネルにＴＯＣ情報が記録されている光ディスクは、コピーされたものと判断してコピーを判別し、再度のコピーを禁止する。
【００１２】
請求項２の発明は、光ディスクへのデータの書き込み時に、光ディスクのリードイン領域に、該データのＴＯＣ情報を記録するＴＯＣ記録手段と、光ディスクからのデータの読み出し時に、リードイン領域に記録されたＴＯＣ情報を取得して記憶するＴＯＣ取得手段とを備え、少なくとも１度は書き込みが可能な光ディスクにデータを記録する光ディスク記録再生装置において、前記ＴＯＣ記録手段は、光ディスクのリードイン領域のメインチャンネルにＴＯＣ情報を記録するものであり、前記ＴＯＣ取得手段は、リードイン領域のメインチャンネルからＴＯＣ情報を取得して記憶するものである。
【００１３】
この構成においては、光ディスクへのデータの書き込み時に、ＴＯＣ情報をリードイン領域のメインチャンネルに記録し、光ディスクからのデータの読み出し時に、リードイン領域のメインチャンネルからＴＯＣ情報を取得する。これにより、サブコードチャンネルからＴＯＣ情報を取得する場合のように、９８フレーム分のデータを集めなくても、少ないフレーム数で１セットのサブコーディングを得ることができる。
【００１４】
請求項３の発明は、請求項２に記載の光ディスク記録再生装置において、前記ＴＯＣ記録手段は、サブコードチャンネルにもＴＯＣ情報を記録するものであり、前記ＴＯＣ取得手段は、リードイン領域のメインチャンネルに前記ＴＯＣ情報が記録されている場合には、メインチャンネルからＴＯＣ情報を取得して記憶し、リードイン領域のメインチャンネルに前記ＴＯＣ情報が記憶されていない場合には、サブコードチャンネルからＴＯＣ情報を取得して記憶するものである。
【００１５】
この構成においては、請求項２に記載の光ディスク記録再生装置において、リードイン領域のサブコードチャンネルにもＴＯＣ情報を記録しているので、通常の光ディスク再生装置でも再生できる光ディスクを作成することができる。また、メインチャンネルにＴＯＣ情報が記録されていない場合に、サブコードチャンネルからＴＯＣ情報を取得するので、通常のフォーマットで記憶された光ディスクについてもＴＯＣ情報を取得することができる。
【００１６】
【発明の実施の形態】
本発明の一実施形態による光ディスク記録再生装置について、図面を参照して説明する。図１は光ディスク記録再生装置２の構成を示している。光ディスク記録再生装置２は、光ディスク１を所定速度で回転させるためのモータ２１と、モータ２１の回転速度を制御する回転制御部２２と、光ピックアップ２３と、光ピックアップ２３を光ディスク１の半径方向に移動させるための移動モータ２４と、移動モータ２４を制御する移動モータ制御部２５と、光ピックアップ２３及び外部から入力された信号を処理するための信号処理部２６と、トラッキングサーボ制御、フォーカスサーボ制御等を行う光ピックアップ制御部２７と、光ディスク記録再生装置２の全体を制御する全体制御部２８と、読み出したＴＯＣ情報を記憶するＴＯＣ記憶部２９と、ユーザにより操作され、各種の指示を入力するための操作部３０と、光ディスク記録再生装置２の状態等を表示する表示部３１と、外部装置３との間で信号を入出力する信号入出力部３２により構成されている。
【００１７】
光ピックアップ２３は、不図示の半導体レーザ、光学系、光検出器等で構成されており、レーザビームを光ディスク１に照射して記録ピットの書き込み及び光ディスク１に記録されたデータの読み出しを行う。信号処理部２６は、光ディスク１へのデータの記録時には、記録するデータを変調して光ピックアップ２３に出力し、光ピックアップ２３は入力された信号に応じてレーザを光ディスク１に照射してデータの記録を行い、光ディスク１の再生時には、光ピックアップ２３から入力される信号から復調して光ディスク１に記録されているデータに対応した再生信号を得る。また、信号処理部２６は、フォーカシングエラー信号及びトラッキングエラー信号を生成して光ピックアップ制御部２７に出力する。
【００１８】
全体制御部２８は、制御プログラムを記録したＲＯＭ、制御プログラムに従って演算処理を行うＣＰＵ、制御プログラムやデータなどを一時的に記憶するＲＡＭなどで構成されている。全体制御部２８は、操作部３０を介して入力されるユーザの指示に従って、光ディスク記録再生装置２の全体を制御し、信号処理部２６及び光ピックアップ２３を制御してＴＯＣ情報の光ディスク１への書き込み動作（ＴＯＣ記録手段）、信号処理部２６から入力された再生信号に基づいてＴＯＣ情報を取得し、取得したＴＯＣ情報のＴＯＣ記録部２９への記憶動作（ＴＯＣ記憶手段）、ＴＯＣ情報に基づき光ディスク１がコピーされたものであるか否かを判別し（コピー判別手段）、コピーされたものであると判断された場合に、コピーを禁止するコピー禁止動作（コピー禁止手段）等を制御する。
【００１９】
次に、光ディスク記録再生装置２のデータの記録動作について、光ディスク１としてＣＤを使用した場合について説明する。光ディスク記録再生装置２に外部装置３からデータが入力されると、信号処理部２６は、入力されたデータにＣＩＲＣ（Ｃｒｏｓｓ  Ｉｎｔｅｒｌｅａｖｅ  Ｒｅｅｄ−Ｓｏｌｏｍｏｎ  Ｃｏｄｅ）をかけると共に、ＥＦＭ変調（ｅｉｇｈｔ  ｔｏ  ｆｏｕｒｔｅｅｎ  ｍｏｄｕｌａｔｉｏｎ）をかけ、ＣＤ１にピットの形で記録する。この際、ＴＯＣ情報を図４に示されるリードイン領域１１のサブコードチャンネル１１２に記録すると共に、メインチャンネル１１３にも記録する。リードイン領域１１のサブコードチャンネル１１２にＴＯＣ情報を記録するため、通常のフォーマットの光ディスクにしか対応していない光ディスク再生装置においてもＴＯＣ情報が読み出せる光ディスクを作成することができる。
【００２０】
光ディスク記録再生装置２のＴＯＣ情報の取得動作について図２のフローチャートを参照して説明する。光ディスク記録再生装置２は、ＣＤ１が充填されると、リードイン領域１１のデータの読み出しを開始して（＃１）、リードイン領域１１のメインチャンネル１１３にＴＯＣ情報が存在するか否かを判断する（＃２）。ＴＯＣ情報がリードイン領域１１のメインチャンネル１１３に記憶されている場合には（＃２でＹＥＳ）、メインチャネル１１３からＴＯＣ情報を取得し（＃３）、ＴＯＣ情報をＴＯＣ記憶部２９に記憶する（＃４）。一方、ＴＯＣ情報がリードイン領域１１のメインチャンネル１１３に記憶されていない場合には（＃２でＮＯ）、サブコードチャンネル１１２からＴＯＣ情報を取得し（＃５）、ＴＯＣ情報をＴＯＣ記憶部２９に記憶する（＃４）。
【００２１】
このように動作するので、ＴＯＣ情報がリードイン領域１１のメインチャンネル１１３に記憶されている場合には（＃２でＹＥＳ）、メインチャンネル１１３からＴＯＣ情報を取得してＴＯＣ情報の読み出しの高速化を図ることができ、ＴＯＣ情報がリードイン領域１１のメインチャンネル１１３に記録されていない場合には、サブコードチャンネル１１２からＴＯＣ情報を読み出すことにより、通常のフォーマットのＣＤについてもＴＯＣ情報を読み出すことができる。
【００２２】
次に、光ディスク記録再生装置２のコピー禁止動作について、外部装置３から光ディスクのデータが入力された場合について図３を参照して説明する。光ディスク記録再生装置２は、外部装置３から信号入出力部３２を介してデータが入力されると（＃２１）、そのＴＯＣ情報がメインチャンネル１１３に記録されていたものであるか否か、すなわち、入力されたＴＯＣ情報がメインコード形式であるか否かを判断する（＃２２）。メインコード形式であれば（＃２２でＹＥＳ）、入力されたデータはコピーされたデータと判断して、表示部３１にコピーができない旨を表示し（＃２３）、光ディスク１にデータをコピーすることなく動作を終了する。一方、ＴＯＣ情報がメインコード形式でない場合（＃２２でＮＯ）、すなわち、入力されたＴＯＣ情報がサブコード形式で記録されていた場合には、入力されたデータはオリジナルのデータと判断して、光ディスク１にデータをコピーして（＃２４）、動作を終了する。
【００２３】
このように、１世代目のデータのコピーの際に、ＴＯＣ情報をリードイン領域１１のメインチャンネル１１３に記録し、再度のコピーの際には、ＴＯＣ情報がメインチャンネルに記録されているかどうかを判断してコピーを判別するので、２世代目のデータのコピー、いわゆる孫コピーを防止することができる。
【００２４】
なお、本発明は上記実施形態の構成に限られることなく種々の変形が可能である。例えば、上述した実施形態ではＣＤについて説明したが、光ディスクとしてはＣＤに限られず、リードイン領域に未使用のメインチャンネルが存在し、このメインチャンネルにＴＯＣ情報が記録できればよい。また、リードイン領域のメインチャンネルに記憶されるＴＯＣ情報は、繰り返し記録するようにしてもよい。
【００２５】
【発明の効果】
以上のように請求項１の発明によれば、光ディスクへのデータの書き込み時に、ＴＯＣ情報をリードイン領域のメインチャンネルに記録し、光ディスクからのデータの読み出し時に、リードイン領域のメインチャンネルからＴＯＣ情報を取得する。このため、サブコードチャンネルからＴＯＣ情報を取得する場合のように、９８フレーム分のデータを集めなくても１セットのサブコーディングを読み出すことができ、高速にＴＯＣ情報を取得することができる。また、リードイン領域のサブコードチャンネルにもＴＯＣ情報を記録しているので、通常のフォーマットの光ディスクにしか対応していない光ディスク再生装置においてもＴＯＣ情報を取得することができる光ディスクを作成することができる。また、リードイン領域のメインチャンネルにＴＯＣ情報が記録されていない場合に、サブコードチャンネルからＴＯＣ情報を取得するので、通常のフォーマットで記録された光ディスクについてもＴＯＣ情報を取得することができる。
【００２６】
また、リードイン領域のメインチャンネルにＴＯＣ情報が記録されている光ディスクはコピーされたものと判断して再度のコピーを禁止するので、いわゆる孫コピーを防止することができる。
【００２７】
請求項２の発明によれば、光ディスクへのデータの書き込み時に、ＴＯＣ情報をリードイン領域のメインチャンネルに記録し、光ディスクからのデータの読み出し時に、リードイン領域のメインチャンネルからＴＯＣ情報を取得するので、ＴＯＣ情報を高速に取得することができる。
【００２８】
請求項３の発明によれば、ＴＯＣ情報を高速に取得することができると共に、リードイン領域のサブコードチャンネルにもＴＯＣ情報を記録しているので、通常のフォーマットの光ディスクにしか対応していない光ディスク再生装置においてもＴＯＣ情報を取得することができる光ディスクを作成することができる。また、リードイン領域のメインチャンネルにＴＯＣ情報が記録されていない場合に、サブコードチャンネルからＴＯＣ情報を取得するので、通常のフォーマットで記録された光ディスクについてもＴＯＣ情報を取得することができる。
【図面の簡単な説明】
【図１】本発明の一実施形態による光ディスク記録再生装置の構成を示すブロック図。
【図２】同装置のＴＯＣ情報の取得動作を説明するためフローチャート。
【図３】同装置のコピー禁止動作を説明するためフローチャート。
【図４】一般的なＣＤの記録領域を説明するための模式図。
【図５】一般的なＣＤの記録フォーマットを説明するための模式図。
【図６】一般的なＣＤのサブコーディングフレームのフォーマットを説明するための模式図。
【図７】一般的なＣＤのＱチャンネルのフォーマットを説明するための模式図。
【符号の説明】
１    光ディスク
２    光ディスク記録再生装置
２８    全体制御部（ＴＯＣ記録手段、ＴＯＣ取得手段、コピー判別手段、コピー禁止手段）
２９    ＴＯＣ記憶部（ＴＯＣ取得手段）
１１    リードイン領域
１１２    サブコードチャンネル
１１３    メインチャンネル
【図１】
2004362722.tif 000003
【図２】
2004362722.tif 000004
【図３】
2004362722.tif 000005
【図４】
2004362722.tif 000006
【図５】
2004362722.tif 000007
【図６】
2004362722.tif 000008
【図７】
2004362722.tif 000009